(57)【要約】【課題】家庭電気製品を収納した状態で使用できるようにした家庭電気製品収納庫において、扉閉状態では異常過熱など異常状態が発生した場合の被害の拡大を防止し、扉開状態では使用者の様々な使用により給電手段が給電停止する誤作動するのを防止する。【解決手段】キャビネット１内に家庭電気製品２を収納する前面が開口した家庭電気製品収納部３を設け、この家庭電気収納部３の開口部を開閉自在な扉５で覆う。家庭電気製品収納部３の異常過熱、蒸気漏れなどの異常を異常検知手段１６が検知したとき異常検知信号を制御手段１７に出力し、制御手段１７は異常検知手段１６からの異常検知信号により給電手段１５への給電を停止する。異常検知手段１６は、扉開閉検知手段１３が扉閉状態を検知しているとき第１の判定基準で異常と判定し、扉開状態を検知しているときは第２の判定基準で異常と判定するよう構成する。【選択図】図１
2008023072.tif 000002
【特許請求の範囲】
【請求項１】
キャビネットと、このキャビネット内に設け家庭電気製品を収納する前面が開口した家庭電気製品収納部と、この家庭電気収納部の開口部を覆う開閉自在な扉と、この扉の開閉状態を検知する扉開閉検知手段と、前記家庭電気製品収納部に設け家庭電気製品へ給電する給電手段と、前記家庭電気製品収納部の異常過熱、蒸気漏れなどの異常を検知したとき異常検知信号を出力する異常検知手段と、この異常検知手段からの異常検知信号により前記給電手段への給電を停止する制御手段とを備え、前記異常検知手段は、前記扉開閉検知手段が扉閉状態を検知しているとき第１の判定基準で異常と判定し、扉開状態を検知しているときは第２の判定基準で異常と判定するよう構成した家庭電気製品収納庫。
【請求項２】
キャビネットと、このキャビネット内に設け家庭電気製品を収納する前面が開口した家庭電気製品収納部と、この家庭電気収納部の開口部を覆う開閉自在な扉と、この扉の開閉状態を検知する扉開閉検知手段と、前記家庭電気製品収納部に設け家庭電気製品へ給電する給電手段と、前記家庭電気製品収納部の異常過熱、蒸気漏れなどの異常を検知したとき異常検知信号を出力する異常検知手段と、この異常検知手段からの異常検知信号により前記給電手段への給電を停止する制御手段とを備え、前記異常検知手段は、前記扉開閉検知手段が扉閉状態を検知しているとき第１の判定基準で異常と判定し、扉開状態を検知しているときは異常判定を行わないよう構成した家庭電気製品収納庫。
【請求項３】
キャビネットと、このキャビネット内に設け家庭電気製品を収納する前面が開口した家庭電気製品収納部と、この家庭電気収納部の開口部を覆う開閉自在な扉と、この扉の開閉状態を検知する扉開閉検知手段と、前記家庭電気製品収納部に設け家庭電気製品へ給電する給電手段と、前記家庭電気製品収納部の異常過熱、蒸気漏れなどの異常を検知したとき異常検知信号を出力する異常検知手段と、この異常検知手段からの異常検知信号により前記給電手段への給電を停止する制御手段とを備え、前記異常検知手段は、前記扉開閉検知手段が扉開状態を検知しているとき、異常検知信号を出力しないよう構成した家庭電気製品収納庫。
【請求項４】
キャビネットと、このキャビネット内に設け家庭電気製品を収納する前面が開口した家庭電気製品収納部と、この家庭電気収納部の開口部を覆う開閉自在な扉と、この扉の開閉状態を検知する扉開閉検知手段と、前記家庭電気製品収納部に設け家庭電気製品へ給電する給電手段と、前記家庭電気製品収納部の異常過熱、蒸気漏れなどの異常を検知したとき異常検知信号を出力する異常検知手段と、この異常検知手段からの異常検知信号により前記給電手段への給電を停止する制御手段とを備え、前記制御手段は、前記扉開閉検知手段が扉開状態を検知しているとき、前記異常検知手段からの異常検知信号を受け付けず、前記給電手段への給電の停止は行わないよう構成した家庭電気製品収納庫。
【請求項５】
キャビネットと、このキャビネット内に設け家庭電気製品を収納する前面が開口した家庭電気製品収納部と、この家庭電気収納部の開口部を覆う開閉自在な扉と、この扉の開閉状態を検知する扉開閉検知手段と、前記家庭電気製品収納部に設け家庭電気製品へ給電する給電手段と、前記家庭電気製品収納部の異常過熱、蒸気漏れなどの異常を検知する異常検知手段と、この異常検知手段の出力を所定時間受け付けると前記給電手段への給電を停止する制御手段とを備え、前記制御手段は、前記扉開閉検知手段が扉開状態を検知しているときの第１の所定時間を前記扉開閉検知手段が扉閉状態を検知しているときの第２の所定時間より長くなるよう構成した家庭電気製品収納庫。
【請求項６】
異常検知手段は、家庭電気製品収納部内の温度を検知する温度検知手段で構成した請求項１〜５のいずれか１項に記載の家庭電気製品収納庫。
【請求項７】
異常検知手段は、家庭電気製品の表面温度を検知する温度検知手段で構成した請求項１〜５のいずれか１項に記載の家庭電気製品収納庫。
【請求項８】
異常検知手段は、家庭電気製品収納部内の湿度を検知する湿度検知手段で構成した請求項１〜５のいずれか１項に記載の家庭電気製品収納庫。
【請求項９】
表示動作を行う表示手段を備え、前記表示手段は扉開閉検知手段が扉開状態を検知しているときと扉閉状態を検知しているときとで表示を変化するよう構成した請求項１〜８のいずれか１項に記載の家庭電気製品収納庫。
【発明の詳細な説明】
【技術分野】
【０００１】
本発明は、家庭電気製品を収納した状態で使用できるようにした家庭電気製品収納庫に関するものである。
【背景技術】
【０００２】
従来、この種の家庭電気製品収納庫は、キャビネット内に、前面が開口し家庭電気製品を収納する家庭電気製品収納部を設け、この家庭電気製品収納部の天面に家庭電気製品から排出される熱気・蒸気を外部へ排出する排出装置を設け、家庭電気製品から排出される熱気・蒸気を外部へ排出することで、家庭電気製品を収納した状態で使用できるよう構成していた（例えば、特許文献１参照）。
【０００３】
このような家庭電気製品収納庫において、家庭電気製品収納部内の家庭電気製品を隠すため、家庭電気製品収納部前面の開口部に開閉自在の扉を付加したいという要望がある。
【特許文献１】特公平７−１１４７３５号公報
【発明の開示】
【発明が解決しようとする課題】
【０００４】
しかしながら従来の構成では、家庭電気製品収納部前面の開口部に扉を付加した場合、家庭電気製品収納部内が外から見えなくなるので、家庭電気製品収納部内の家庭電気製品が異常過熱など異常状態の発生した場合、そのことがわからなく、もし発生した場合、被害が拡大する可能性があるという問題があった。
【０００５】
また、この異常状態を検知するため、異常検知手段を家庭電気製品収納部内に設置し、その異常検知手段が異常を検知したとき、家庭電気製品収納部内の家庭電気製品への給電を停止する構成にしたとしても、使用者が調理鍋など高温物を家庭電気製品収納部内に入れたり、異常検知手段に近づけたりなどしたとき、異常検知手段が作動し、家庭電気製品への給電を停止してしまうという問題があった。
【０００６】
また、このとき、この高温物の影響による異常検知手段の作動を防止するため、異常検知の判定基準をそれに合せて高いところに設定すると、本来の目的の家庭電気製品の異常発生の検知を検知しにくくなるという問題があった。
【０００７】
本発明は上記従来の課題を解決するもので、扉が閉まっているときは家庭電気製品収納部内に収納した家庭電気製品の異常発生を確実に検知して、異常過熱など異常状態が発生した場合の被害の拡大を防止し、扉が開いているときは使用者の様々な使用による影響を異常検知手段が受けて給電手段が給電停止する誤作動するのを防止することを目的としている。
【課題を解決するための手段】
【０００８】
本発明は上記目的を達成するために、キャビネット内に家庭電気製品を収納する前面が開口した家庭電気製品収納部を設け、この家庭電気収納部の開口部を開閉自在な扉で覆い、この扉の開閉状態を扉開閉検知手段により検知し、家庭電気製品収納部に家庭電気製品へ給電する給電手段を設け、家庭電気製品収納部の異常過熱、蒸気漏れなどの異常を異常検知手段が検知したとき異常検知信号を制御手段に出力し、制御手段はこの異常検知手段からの異常検知信号により給電手段への給電を停止するよう構成し、異常検知手段は、扉開閉検知手段が扉閉状態を検知しているとき第１の判定基準で異常と判定し、扉開状態を検知しているときは第２の判定基準で異常と判定するよう構成したものである。
【０００９】
これにより、異常検知手段は扉開状態と扉閉状態とで異常検知の判定基準を別々に設定できるので、扉が閉まっているとき、第１の判定基準として確実に家庭電気製品が異常発生を検知できる値に設定することで、扉閉状態のときは確実に家庭電気製品の異常発生を検知できて、異常過熱など異常状態が発生した場合の被害の拡大を防止することができ、扉開状態のとき異常と判定する第２の判定基準を扉閉状態のとき異常と判定する第１の判定基準よりも高く設定することで、扉開状態のときは使用者の様々な使用による異常検知手段の誤作動を防止することができる。
【発明の効果】
【００１０】
本発明の家庭電気製品収納庫は、扉が閉まっているときは家庭電気製品収納部内に収納した家庭電気製品の異常発生を確実に検知することができて、異常過熱など異常状態が発生した場合の被害の拡大を防止することができ、扉が開いているときは使用者の様々な使用による影響を異常検知手段が受けて給電手段が給電停止する誤作動するのを防止することができる。
【発明を実施するための最良の形態】
【００１１】
第１の発明は、キャビネットと、このキャビネット内に設け家庭電気製品を収納する前面が開口した家庭電気製品収納部と、この家庭電気収納部の開口部を覆う開閉自在な扉と、この扉の開閉状態を検知する扉開閉検知手段と、前記家庭電気製品収納部に設け家庭電気製品へ給電する給電手段と、前記家庭電気製品収納部の異常過熱、蒸気漏れなどの異常を検知したとき異常検知信号を出力する異常検知手段と、この異常検知手段からの異常検知信号により前記給電手段への給電を停止する制御手段とを備え、前記異常検知手段は、前記扉開閉検知手段が扉閉状態を検知しているとき第１の判定基準で異常と判定し、扉開状態を検知しているときは第２の判定基準で異常と判定するよう構成したものであり、扉が閉まっているとき、家庭電気製品収納部の内部を使用者が操作することは不可能なので、第１の判定基準として確実に家庭電気製品の異常発生を検知できる値に設定することで、扉閉状態のときは確実に家庭電気製品の異常発生を検知することができて、異常過熱など異常状態が発生した場合の被害の拡大を防止することができ、扉開状態のとき異常と判定する第２の判定基準を扉閉状態のとき異常と判定する第１の判定基準よりも高く設定することで、扉開状態のときは使用者の様々な使用による異常検知手段の誤作動を防止することができる。
【００１２】
第２の発明は、キャビネットと、このキャビネット内に設け家庭電気製品を収納する前面が開口した家庭電気製品収納部と、この家庭電気収納部の開口部を覆う開閉自在な扉と、この扉の開閉状態を検知する扉開閉検知手段と、前記家庭電気製品収納部に設け家庭電気製品へ給電する給電手段と、前記家庭電気製品収納部の異常過熱、蒸気漏れなどの異常を検知したとき異常検知信号を出力する異常検知手段と、この異常検知手段からの異常検知信号により前記給電手段への給電を停止する制御手段とを備え、前記異常検知手段は、前記扉開閉検知手段が扉閉状態を検知しているとき第１の判定基準で異常と判定し、扉開状態を検知しているときは異常判定を行わないよう構成したものであり、扉が閉まっているとき、第１の判定基準として確実に家庭電気製品が異常発生を検知できる値に設定することで、扉閉状態のときは確実に家庭電気製品の異常発生を検知でき、扉開状態のときは異常検知手段が作動することがなく、給電手段への給電を停止するのをなくすることができる。
【００１３】
第３の発明は、キャビネットと、このキャビネット内に設け家庭電気製品を収納する前面が開口した家庭電気製品収納部と、この家庭電気収納部の開口部を覆う開閉自在な扉と、この扉の開閉状態を検知する扉開閉検知手段と、前記家庭電気製品収納部に設け家庭電気製品へ給電する給電手段と、前記家庭電気製品収納部の異常過熱、蒸気漏れなどの異常を検知したとき異常検知信号を出力する異常検知手段と、この異常検知手段からの異常検知信号により前記給電手段への給電を停止する制御手段とを備え、前記異常検知手段は、前記扉開閉検知手段が扉開状態を検知しているとき、異常検知信号を出力しないよう構成したものであり、扉開状態のときは異常検知手段より異常検知信号を出力しないことで、給電手段への給電を停止するのをなくすることができる。
【００１４】
第４の発明は、キャビネットと、このキャビネット内に設け家庭電気製品を収納する前面が開口した家庭電気製品収納部と、この家庭電気収納部の開口部を覆う開閉自在な扉と、この扉の開閉状態を検知する扉開閉検知手段と、前記家庭電気製品収納部に設け家庭電気製品へ給電する給電手段と、前記家庭電気製品収納部の異常過熱、蒸気漏れなどの異常を検知したとき異常検知信号を出力する異常検知手段と、この異常検知手段からの異常検知信号により前記給電手段への給電を停止する制御手段とを備え、前記制御手段は、前記扉開閉検知手段が扉開状態を検知しているとき、前記異常検知手段からの異常検知信号を受け付けず、前記給電手段への給電の停止は行わないよう構成したものであり、扉開状態のときは異常検知手段からの異常検知信号を制御手段が受け付けないことで、給電手段への給電を停止するのをなくすることができる。
【００１５】
第５の発明は、キャビネットと、このキャビネット内に設け家庭電気製品を収納する前面が開口した家庭電気製品収納部と、この家庭電気収納部の開口部を覆う開閉自在な扉と、この扉の開閉状態を検知する扉開閉検知手段と、前記家庭電気製品収納部に設け家庭電気製品へ給電する給電手段と、前記家庭電気製品収納部の異常過熱、蒸気漏れなどの異常を検知する異常検知手段と、この異常検知手段の出力を所定時間受け付けると前記給電手段への給電を停止する制御手段とを備え、前記制御手段は、前記扉開閉検知手段が扉開状態を検知しているときの第１の所定時間を前記扉開閉検知手段が扉閉状態を検知しているときの第２の所定時間より長くなるよう構成したものであり、扉開状態のとき、異常状態が長く持続しないと給電手段を停止するのをなくすることができる。例えば、扉開状態で湯が入ったコップを異常検知手段の近くを通過させたレベルくらいでは作動しないようにできる。
【００１６】
第６の発明は、上記第１〜５のいずれか１つの発明において、異常検知手段は、家庭電気製品収納部内の温度を検知する温度検知手段で構成したものであり、家庭電気製品収納部内の温度温度上昇により、家庭電気製品収納部内に収納した家庭電気製品の異常過熱、蒸気漏れなどの異常を検知することができる。
【００１７】
第７の発明は、上記第１〜５のいずれか１つの発明において、異常検知手段は、家庭電気製品の表面温度を検知する温度検知手段で構成したものであり、家庭電気製品の異常過熱、蒸気漏れなどの異常を直接検知することができ、精度の高い検知をすることができる。
【００１８】
第８の発明は、上記第１〜５のいずれか１つの発明において、異常検知手段は、家庭電気製品収納部内の湿度を検知する湿度検知手段で構成したものであり、家庭電気製品収納部内の蒸気漏れに対する異常を検知することができる。
【００１９】
第９の発明は、上記第１〜８のいずれか１つの発明において、表示動作を行う表示手段を備え、前記表示手段は扉開閉検知手段が扉開状態を検知しているときと扉閉状態を検知しているときとで表示を変化するよう構成したものであり、扉の開閉状態を使用者が確認でき、異常の判定レベルを認知できる。
【００２０】
以下、本発明の実施の形態について、図面を参照しながら説明する。なお、この実施の形態によって本発明が限定されるものではない。
【００２１】
（実施の形態１）
図１は、本発明の実施の形態１における家庭電気製品収納庫の断面図を示し、図２は、同家庭電気製品収納庫の正面図を示すものである。
【００２２】
図１および図２に示すように、キャビネット１は、前面が開口し、内部に炊飯器２ａやジャーポット２ｂなど蒸気を発生する家庭電気製品２を収納する家庭電気製品収納部３を有している。家庭電気製品収納部３の下面に家庭電気製品２を載置するスライド台４を収納自在に設けており、必要に応じて家庭電気製品収納部３から家庭電気製品２を引き出して使用できるようにしている。家庭電気製品収納部２の前面に扉５を開閉自在に設けている。また、家庭電気製品収納部３の天面には、収納した家庭電気製品２から排出する蒸気を外部に排出する蒸気処理ユニット６を設けており、家庭電気製品収納部３に蒸気を発生する家庭電気製品２を収納した場合においても、家庭電気製品２を収納したまま使用できるようにしている。
【００２３】
蒸気処理ユニット６の下面に１つの大きな開口部をもつ蒸気吸引部７を設けており、蒸気処理ユニット５の内部に吸引ファン８を設けている。蒸気吸引部７の内側に蒸気を広い範囲で効率よく吸引するために、複数の穴（図示せず）を有する整流板９を設けており、家庭電気製品収納部３内で発生した蒸気を外気と混合し、整流板９の穴および整流板９の外周より蒸気を吸引する構成としている。吸引ファン８より吐出された蒸気は、内部ダクト１０を通って蒸気処理ユニット６の前方に設けた蒸気排気口１１から吐出される。また、蒸気処理ユニット６の前面に表示部（表示手段）１２を設けている。
【００２４】
扉開閉検知手段１３は、扉５に固着したマグネット１４により動作して扉５の開閉状態を検知するものである。給電手段１５は、コンセント１５ａ、１５ｂにより構成し、家庭電気製品２を接続して給電するもので、家庭電気製品収納部３に設けている。異常検知手段１６は、サーミスタなどの家庭電気製品収納部３内の温度を検知する温度検知手段により構成し、家庭電気製品収納部３の異常過熱、蒸気漏れなどの異常を検知するもので、異常過熱、蒸気漏れなどの異常を検知したとき異常検知信号を出力するようにしている。ここで、異常検知手段１６は、扉開閉検知手段１３が扉閉状態を検知しているとき第１の判定基準で異常と判定し、扉開状態を検知しているときは第２の判定基準で異常と判定するよう構成している。
【００２５】
制御手段１７は、異常検知手段１６からの異常検知信号により給電手段１５への給電を停止するよう構成している。すなわち、図３に示すように、制御手段１７はコイル１８ａと接点１８ｂとを有するリレーを駆動するように構成し、接点１８ｂを交流１００Ｖ電源と給電手段１５との間に接続し、家庭電気製品収納部３に異常過熱、蒸気漏れなどの異常が発生した場合、異常検知手段１６がこれを検知し、その異常検知信号により制御手段１７を動作させ、リレーを駆動して給電手段１５への給電を停止するよう構成している。なお、１９は、家庭電気製品４を給電手段６に接続するプラグである。
【００２６】
表示部１２は、扉開閉検知手段１３が扉開状態を検知しているときと扉閉状態を検知しているときとで、文字、色などで表示を変化するよう構成している。
【００２７】
上記構成において動作、作用について説明する。家庭電気製品収納部３の下面に設けたスライド台４に家庭電気製品２を載置して家庭電気製品２を家庭電気製品収納部３内に収納し、家庭電気製品収納部３内のコンセント１５ａ、１５ｂに接続した後、扉５を閉じて動作を開始し、蒸気処理ユニット６内の吸引ファン８を動作させると、吸引ファン８から外気とともに蒸気吸引部７より吸い込まれた蒸気は、内部ダクト１０を経由して蒸気排気口１１から外部に排出される。
【００２８】
このとき、蒸気吸引部７の内側に設置した整流板９には、家庭電気製品収納部３内に収納した家庭電気製品２の蒸気口２０に対向した位置に複数の穴を有しているので、蒸気口２０より排出される蒸気は、図１の矢印ａで示すように、複数の穴を通して蒸気処理ユニット６に吸引されるとともに、図１の矢印ｂで示すように、一部は整流板９の外周より蒸気処理ユニット５に吸引される。
【００２９】
ここで、家庭電気製品２に何等かの原因で異常過熱、蒸気漏れなどの異常が発生すると、異常検知手段１６がこれを検知する。このとき、扉５を閉じているので、扉開閉検知手段１３は扉閉状態を検知しており、異常検知手段１６は第１の判定基準で異常と判定し、異常と判定すると異常検知信号を出力する。第１の判定基準として確実に家庭電気製品２の異常発生を検知できる値に設定することで、確実に家庭電気製品２の異常発生を検知することができる。この異常検知信号により制御手段１７を動作させ、給電手段１５への給電を停止し、家庭電気製品２の動作を停止する。これにより、異常過熱など異常状態が発生した場合の被害の拡大を防止することができる。
【００３０】
つぎに、扉５を開けた状態で、使用者が調理鍋など高温物を家庭電気製品収納部３内に入れたり、異常検知手段１６に近づけたりすると、異常検知手段１６がこれを検知する。このとき、扉５を開けているので、扉開閉検知手段１３は扉開状態を検知しており、異常検知手段１６は第２の判定基準で異常と判定し、異常と判定すると異常検知信号を出力する。このとき、第２の判定基準を扉閉状態のとき異常と判定する第１の判定基準よりも高く設定することで、使用者が調理鍋など高温物を家庭電気製品収納部３内に入れたり、異常検知手段１６に近づけたりすることでは、異常検知手段１６の誤作動により異常検知信号を出力することがなく、制御手段１７を動作させないので、給電手段１５への給電を停止することはない。
【００３１】
以上のように、本実施の形態においては、異常検知手段１６は、扉開閉検知手段１３が扉閉状態を検知しているとき第１の判定基準で異常と判定し、扉開状態を検知しているときは第２の判定基準で異常と判定するよう構成したので、扉５が閉まっているとき、第１の判定基準として確実に家庭電気製品２の異常発生を検知できる値に設定することで、扉閉状態のときは確実に家庭電気製品の異常発生を検知できて、異常過熱など異常状態が発生した場合の被害の拡大を防止することができ、扉開状態のとき異常と判定する第２の判定基準を扉閉状態のとき異常と判定する第１の判定基準よりも高く設定することで、扉開状態のときは使用者の様々な使用による異常検知手段１６の誤作動を防止することができる。
【００３２】
また、異常検知手段１６は、サーミスタなどの家庭電気製品収納部３内の温度を検知する温度検知手段で構成したので、家庭電気製品収納部３内の温度温度上昇により、家庭電気製品収納部３内に収納した家庭電気製品２の異常過熱、蒸気漏れなどの異常を検知することができる。
【００３３】
また、表示部１２は、扉開閉検知手段１３が扉開状態を検知しているときと扉閉状態を検知しているときとで表示を変化するよう構成しているので、扉５の開閉状態を使用者が確認でき、異常の判定レベルを認知できる。
【００３４】
なお、本実施の形態では、異常検知手段１６は、サーミスタなどの家庭電気製品収納部３内の温度を検知する温度検知手段により構成しているが、家庭電気製品２の表面温度を検知する温度検知手段で構成してもよく、この場合は、家庭電気製品２の異常過熱、蒸気漏れなどの異常を直接検知することができ、精度の高い検知をすることができる。
【００３５】
また、異常検知手段１６は、家庭電気製品収納部３内の湿度を検知する湿度検知手段で構成してもよく、この場合は、蒸気漏れに対する異常を精度よく検知することができる。
【００３６】
（実施の形態２）
図１に示す異常検知手段１６は、扉開閉検知手段１３が扉閉状態を検知しているとき第１の判定基準で異常と判定し、扉開状態を検知しているときは異常判定を行わないよう構成している。他の構成は上記実施の形態１と同じである。
【００３７】
上記構成において動作、作用について説明する。なお、家庭電気製品収納部３内に家庭電気製品２を収納して動作させるときの基本的な動作と、扉５を閉じた状態で家庭電気製品２に何等かの原因で異常過熱、蒸気漏れなどの異常が発生したときの動作は、上記実施の形態１の動作と同じであるので説明を省略する。
【００３８】
扉５を開けた状態で、使用者が調理鍋など高温物を家庭電気製品収納部３内に入れたり、異常検知手段１６に近づけたりすると、異常検知手段１６がこれを検知する。このとき、扉５を開けているので、扉開閉検知手段１３は扉開状態を検知しており、異常検知手段１６は異常判定を行わない。これにより、異常検知手段１６は異常検知信号を出力することがなく、制御手段１７を動作させないので、給電手段１５への給電を停止することがない。
【００３９】
以上のように、本実施の形態においては、異常検知手段１６は、扉開閉検知手段１３が扉閉状態を検知しているとき第１の判定基準で異常と判定し、扉開状態を検知しているときは異常判定を行わないよう構成しているので、扉５が閉まっているとき、第１の判定基準として確実に家庭電気製品２が異常発生を検知できる値に設定することで、扉閉状態のときは確実に家庭電気製品２の異常発生を検知でき、扉開状態のときは異常検知手段１６が作動することがなく、給電手段１５への給電を停止するのをなくすることができる。
【００４０】
（実施の形態３）
図１に示す異常検知手段１６は、扉開閉検知手段１３が扉閉状態を検知しているとき、異常検知信号を出力しないよう構成している。他の構成は上記実施の形態１と同じである。
【００４１】
上記構成において動作、作用について説明する。なお、家庭電気製品収納部３内に家庭電気製品２を収納して動作させるときの基本的な動作と、扉５を閉じた状態で家庭電気製品２に何等かの原因で異常過熱、蒸気漏れなどの異常が発生したときの動作は、上記実施の形態１の動作と同じであるので説明を省略する。
【００４２】
扉５を開けた状態で、使用者が調理鍋など高温物を家庭電気製品収納部３内に入れたり、異常検知手段１６に近づけたりすると、異常検知手段１６がこれを検知する。このとき、扉５を開けているので、扉開閉検知手段１３は扉開状態を検知しており、異常検知手段１６は異常検知信号を出力しない。これにより、制御手段１７を動作させないので、給電手段１５への給電を停止することがない。
【００４３】
以上のように、本実施の形態においては、異常検知手段１６は、扉開閉検知手段１３が扉閉状態を検知しているとき、異常検知信号を出力しないよう構成しているので、扉開状態のときは異常検知手段１６より異常検知信号を出力しないことで、給電手段１５への給電を停止するのをなくすることができる。
【００４４】
（実施の形態４）
図１に示す制御手段１７は、扉開閉検知手段１３が扉開状態を検知しているとき、異常検知手段１６からの異常検知信号を受け付けず、給電手段１５への給電の停止は行わないよう構成している。他の構成は上記実施の形態１と同じである。
【００４５】
上記構成において動作、作用について説明する。なお、家庭電気製品収納部３内に家庭電気製品２を収納して動作させるときの基本的な動作と、扉５を閉じた状態で家庭電気製品２に何等かの原因で異常過熱、蒸気漏れなどの異常が発生したときの動作は、上記実施の形態１の動作と同じであるので説明を省略する。
【００４６】
扉５を開けた状態で、使用者が調理鍋など高温物を家庭電気製品収納部３内に入れたり、異常検知手段１６に近づけたりすると、異常検知手段１６がこれを検知する。このとき、扉５を開けているので、扉開閉検知手段１３は扉開状態を検知しており、異常検知手段１６は異常と判定し、異常検知信号を出力する。一方、制御手段１７は、扉開閉検知手段１４が扉開状態を検知しているとき、異常検知手段１６からの異常検知信号を受け付けないので、給電手段１５への給電を停止することはない。
【００４７】
以上のように、本実施の形態においては、制御手段１７は、扉開閉検知手段１３が扉開状態を検知しているとき、異常検知手段１６からの異常検知信号を受け付けず、給電手段１５への給電の停止は行わないよう構成したので、扉開状態のときは異常検知手段１６からの異常検知信号を制御手段１７が受け付けないことで、給電手段１６への給電を停止するのをなくすることができる。
【００４８】
（実施の形態５）
図１に示す制御手段１７は、異常検知手段１６の出力を所定時間受け付けると給電手段１５への給電を停止するよう構成し、扉開閉検知手段１３が扉開状態を検知しているときの第１の所定時間を扉開閉検知手段１３が扉閉状態を検知しているときの第２の所定時間より長くなるよう構成している。他の構成は上記実施の形態１と同じである。
【００４９】
上記構成において動作、作用について説明する。なお、家庭電気製品収納部３内に家庭電気製品２を収納して動作させるときの基本的な動作は、上記実施の形態１の動作と同じであるので説明を省略する。
【００５０】
扉５を閉じた状態で、家庭電気製品２に何等かの原因で異常過熱、蒸気漏れなどの異常が発生すると、異常検知手段１６がこれを検知して異常検知信号を出力する。制御手段１７は、異常検知手段１６の異常検知信号を第２の所定時間受け付けると給電手段１５への給電を停止し、家庭電気製品２の動作を停止する。これにより、異常過熱など異常状態が発生した場合の被害の拡大を防止することができる。
【００５１】
つぎに、扉５を開けた状態で、使用者が調理鍋など高温物を家庭電気製品収納部３内に入れたり、異常検知手段１６に近づけたりすると、異常検知手段１６がこれを検知して異常検知信号を出力する。制御手段１７は、異常検知手段１６の異常検知信号を第１の所定時間受け付けると給電手段１５への給電を停止する。
【００５２】
ここで、第１の所定時間を第２の所定時間より長くなるようにしているので、扉開状態のとき、異常状態が長く持続しないと給電手段１５を停止するのをなくすることができる。例えば、扉開状態で湯が入ったコップを異常検知手段１６の近くを通過させたレベルくらいでは作動しないようにできる。
【００５３】
以上のように、本実施の形態においては、制御手段１７は、異常検知手段１６の出力を所定時間受け付けると給電手段１５への給電を停止するよう構成し、扉開閉検知手段１３が扉開状態を検知しているときの第１の所定時間を扉開閉検知手段１３が扉閉状態を検知しているときの第２の所定時間より長くなるよう構成しているので、扉開状態のとき、異常状態が長く持続しないと給電手段１５を停止するのをなくすることができる。例えば、扉開状態で湯が入ったコップを異常検知手段の近くを通過させたレベルくらいでは作動しないようにできる。
【産業上の利用可能性】
【００５４】
以上のように、本発明にかかる家庭電気製品収納庫は、扉が閉まっているときは家庭電気製品収納部内に収納した家庭電気製品の異常発生を確実に検知することができて、異常過熱など異常状態が発生した場合の被害の拡大を防止することができ、扉が開いているときは使用者の様々な使用による影響を異常検知手段が受けて給電手段が給電停止する誤作動するのを防止することができるので、家庭電気製品を収納した状態で使用できるようにした家庭電気製品収納庫として有用である。
【図面の簡単な説明】
【００５５】
【図１】本発明の実施の形態１における家庭電気製品収納庫の断面図
【図２】同家庭電気製品収納庫の正面図
【図３】同家庭電気製品収納庫の一部ブロック化した回路図
【符号の説明】
【００５６】
１  キャビネット
２  家庭電気製品
３  家庭電気製品収納部
５  扉
１３  扉開閉検知手段
１５  給電手段
１６  異常検知手段
１７  制御手段
【図１】
2008023072.tif 000003
【図２】
2008023072.tif 000004
【図３】
2008023072.tif 000005